(57)【要約】【課題】簡易な構成を有し、それによって、持ち運びが容易で、設定設置作業も効率的で迅速容易に実行でき、強固で然も汎用性に富むマンホール開口部の落下物防止装置を提供する。【解決手段】マンホール設置枠体部上端面から所定の長さだけ降下した当該マンホール内の適宜の部位に当該マンホールの中心軸線を芯出しするための第１の部材と、当該第１の部材により芯出しされた中心軸線に一致させて配置される中央本体部と当該中央本体部から放射状に延展され、適宜の半径を有するマンホール内壁面と係合しうる複数個の支持梁部とからなる第２の部材と、当該第２の部材の当該支持梁部の当接部と当該マンホール内壁面との接合状態を調整する第３の部材と、当該マンホール内に配置された当該支持梁部上に配置される平板状の基材からなる第４の部材とから構成されるマンホール開口部の落下物防止装置。【選択図】図1
2013221247.tif 000002
【特許請求の範囲】
【請求項１】
所定の長さと所定の内径を有する中空筒状体を含み、当該中空筒状体の一方の端部若しくはその近傍部には、当該中空筒状体を、その長手方向軸が略垂直に維持された状態で、上下に可動させるに適した構成を持つ握り把持部が設けられており、且つ当該中空筒状体の他方の端部には、当該端縁部の一部から、当該中空筒状体の本体部の方向に屈折状若しくは屈曲状に切り込まれた一対の係合溝部が、当該中空筒状体の直径方向に相互に対向する様に設けられており、然も、当該中空筒状体の当該係合溝部と当該握り把持部との間に、当該中空筒状体の中心から互いに等角度で、放射状に外方に延展せしめられた複数個の枝部材が設けられており、当該枝部材の外方端部にはマンホールのマンホール設置枠部材の上縁部に当接しうる当て金部が設けられていると同時に当該枝部材の当該中空筒状体近傍部と当該枝部材の外方端部との間にタンバックルが介在されている第１の部材と、
中央本体部を含み、当該中央本体部は、所定の長さと所定の外形太さを有し、当該中央本体部には、その長手中心軸方向に形成された連通孔が設けられており、且つ当該中央本体部の一部には、当該連通孔の中心軸線と直交する方向で当該中央本体部の外表面から左右方向に外方に突出している一対の、当該中空筒状体の当該係合溝部と嵌合する固定ピン部が設けられており、且つ、当該中央本体部の別の部分には、当該中央本体部から、互いに等角度で放射状に外方に延展せしめられ、その外方先端部には、マンホールの内壁面と着脱自在に当接固定可能な当接部が設けられている、相互に同一の長さを持った複数個の支持梁部が設けられており、然も、当該中央本体部の当該連通孔には、回転調整部が旋回自在に挿入されており、当該支持梁部の当該外方先端部に於ける当該当接部と当該マンホールの内壁部との当接／離反が、当該回転調整部の旋回運動により制御される様に構成されている第２の部材と、
当該中空筒状体の中空状内部に挿入される棒状体部から構成された操作部材からなる第３の部材であって、当該第３の部材は、当該棒状体部の一方の端部には操作把持部が設けられていると同時に、当該中空筒状体の当該握り把持部が設けられている部分の近傍に位置する端部から当該中空筒状体内部に挿入される側の端部には、当該回転調整部の一部と嵌合する嵌合部が設けられている第３の部材と、
当該マンホール内の内壁の一部に固定配置された支持梁部の上面に配置される平板状で、当該マンホール内の断面積の少なくとも一部を被覆する面積を有する基材からなる第４の部材と、
から構成されている事を特徴とするマンホール開口部の落下物防止装置。
【請求項２】
当該第１の部材に於ける当該枝部材は３個或いは４個である特徴とする請求項１に記載のマンホール開口部の落下物防止装置。
【請求項３】
当該枝部材は、当該中空筒状体の中心軸線方向に摺動可能で且つ任意の位置に固定しうる固定環を介して当該中空筒状体に接合されている特徴とする請求項１又は２に記載のマンホール開口部の落下物防止装置。
【請求項４】
当該枝部材は、その一方の端部が当該中空筒状体と当該固定環を介して接合せしめられている特徴とする請求項３に記載のマンホール開口部の落下物防止装置。
【請求項５】
当該枝部材は、当該固定環に旋回自在に接合されている特徴とする請求項４に記載のマンホール開口部の落下物防止装置。
【請求項６】
当該当て金部が当該枝部材の外方の先端部に旋回自在に接合されている特徴とする請求項１乃至５の何れかに記載のマンホール開口部の落下物防止装置。
【請求項７】
当該当て金部は、当該マンホール設置枠部材の内側周縁上部に当接せしめられるものであって、当該マンホール設置枠部材の縦方向に近似する方向に配置される縦向き部材と当該マンホール設置枠部材の上端部で略水平方向に近似する方向に配置される横向き部材とが一体的に構成されており、且つ当該縦向き部材と当該横向き部材とは、相互に９０度以上の角度を有する様に配置されている特徴とする請求項１に記載のマンホール開口部の落下物防止装置。
【請求項８】
当該第２の部材に於ける当該中央本体部に旋回自在に嵌合挿入される当該回転調整部は、当該第３の部材の一方の端部に設けられている当該嵌合部と嵌合しうる外径を有する頭部と当該頭部の外径よりも小さな外径を有し、当該頭部の一方の端部から一体的に延展せしめられている、その表面にネジ部が形成されているロッド部とから構成されている事を特徴とする請求項１に記載のマンホール開口部の落下物防止装置。
【請求項９】
当該それぞれの支持梁部は、当該当接部が設けられている端部とは反対側の端部に於いて、当該中央本体部と適宜の旋回軸受を介して旋回自在に個別に接合せしめられており、且つ当該当接部も当該中央本体部と適宜の旋回軸受を介して旋回自在に個別に接合せしめられている事を特徴とする請求項１に記載のマンホール開口部の落下物防止装置。
【請求項１０】
当該支持梁部のそれぞれは、その一端部が当該各支持梁部の一部に旋回自在に軸支され、その他端部が、当該回転調整部に於ける当該ロッド部の一部と螺合せしめられている調整板部であって、当該ロッド部の旋回によりその配置位置が変化しうる調整板部の端縁部に適宜の旋回軸受を介して旋回自在に個別に接合せしめられている補助支持梁部を含んでいる事を特徴とする請求項８に記載のマンホール開口部の落下物防止装置。
【請求項１１】
当該第３の部材に於ける当該棒状体部の一方の端部に設けられている当該操作把持部は、当該棒状体部の長手方向中心軸線に対して直交する方向に延展された部材で構成されたものであり、当該棒状体部の他方の端部に設けられている当該嵌合部は、その開放端部に、当該回転調整部の当該頭部の外形形状と略近似する形状を持った凹陥部が設けられている事を特徴とする請求項１に記載のマンホール開口部の落下物防止装置。
【請求項１２】
当該第４の部材は、金属製あるは合成樹脂製の硬性材料からなる平板状で、且つ当該マンホールの内側の円形断面積部分の少なくとも一部を被覆するに十分な面積を有する基材と、当該基材表面を被覆するゴム製、プラスチック製或いは布帛製の柔軟性を有するシート材料及びゴム製、プラスチック製或いは布帛製材料から構成された当該マンホールの内側壁面の内周全面に係止せしめられる所定の幅を有する帯状体部のすくなくとも何れかとから構成されている事を特徴とする請求項１に記載のマンホール開口部の落下物防止装置。
【発明の詳細な説明】
【技術分野】
【０００１】
本発明は、マンホール開口部の落下物防止装置装に関するものであり、特に詳しくは、当該マンホールの作業中の各種の安全や事故防止を達成しうるマンホール開口部の落下物防止装置に関するものである。
更に詳しくは、本発明は、例えば、マンホール補修工事の鉄枠の撤去作業工程の際に生じる、破砕塊、当該マンホール内壁の切断時に使用する冷却水等の落下防止を目的とする装置に関するものである。
【背景技術】
【０００２】
処で、マンホール内で所定の作業が実行されている場合に、当該作業中は、当該マンホールの蓋が取り外されており、当該マンホールは、開放されたままになっているので、その間に瓦礫や、ゴミ、石、砂、水等が当該マンホールの開口部から落下して、当該マンホール内を汚染したり、或いは、道路、通路を通行中の人や、自転車、バイク、車いす等を含む車両等が、誤って、当該マンホールの開口中の穴に転落したり、はまり込んだりして、怪我をしたり通行の安全が阻害されることも多く散見されるところであり、更には、当該マンホール内で作業する作業員に当該落下物が当たり、当該作業員が怪我をするといった、作業の安全性が阻害されるという問題があった。
【０００３】
係る問題点を解決する方法として、従来から様々な方法が提案されてきている。
例えば、特開２００９−２６３９１１号公報（特許文献１）には、作業中で開放されているマンホール開口部に布地のない骨だけの状態の傘を逆向きにして当該マンホールの開口部に載置し、その傘部の柄に相当する部分の頂部に作業中というメッセージを記載したフラグを取り付けて、歩行者や車両による通行者の注意を喚起させ、当該マンホールの開口部内への転落とはまり込みという危険を防止し、同時に石、煉瓦、ブロック、その他工事用器具、水、土砂、枯れ木、枯葉等のゴミ類の当該マンホール開口部内への落下を防止するという技術が開示されている。
然しながら、上記した技術構成では、簡便で軽量で折りたたみ構造であるから、移動が可能であり、設置及び取り外し作業も容易ではるが、風に弱く、強風時には、不安定で、逆に通行人に危害を及ぼす可能性を含み、且つ当該作業中のマンホール開口部から外方に突出する部分が多いので、その近傍と通過する通行人或いは車両と接触して、当該安全装置が転倒したり、それによって、通行人が怪我をするという別の問題が発生していた。
【０００４】
一方、特開２００５−２１３８３４号公報(特許文献２)には、開口されたマンホール内に横バー状の水平補部材を設け、当該水平補部材の一端部に当該マンホール内壁部に設けられた梯子部に係合する係合部と当該水平補部材の略中央下端面部から旋回自在に取り付けられ、その先端部が当該マンホールの内壁面に当接する様に構成された回動支持脚部を設けると共に、当該水平補部材の状面に所定の面積を有する円形の網状の落下防止部を取り付ける同時に、当該落下防止部の周縁部に複数個の棒状の補助支持部を旋回自在に設けたマンホール内への落下物防止装置が開示されている。
当該特許文献２では、上記した複数個の補助支持部を旋回させることにより、マンホールの内径と当該落下防止部の外径との差を補完するようになっており、そのために、汎用性があるという特徴を有するものであるが、取り付け構造が不安定であるため、その上に作業員が乗って作業するには危険が伴い、又、取り付け操作が複雑で、然も、マンホール内の任意の高さ位置で固定させることが困難であるという問題を含んでいる。
【０００５】
又、特開２０００−３２５５７５７号公報（特許文献３）には、開口されているマンホールの開口縁部取り付けられる環状枠体と当該環状枠体の内部に適宜の吊り具を介して落下物収納部が吊下げされてとり、当該落下物収納部が当該マンホールの内部に吊下られる構造の落下物防止用具が示されている。
当該特許文献３に於いては、当該環状枠体が、枯葉、紙くず、土砂、石等の瓦礫が当該マンホールの内部に侵入することを防止し、それによって止められなかった瓦礫が当該マンホール内に入った場合に、当該落下物収納部でそれらを受け止める様に構成された落下防止用具が開示されているものである。
然しながら、係る構成では、単に、当該落下防止用具を開口されているマンホールの開口端部に置くだけであり、従って安定性がなく、容易にずれたり外れたりするという問題があった。
【先行技術文献】
【特許文献】
【０００６】
【特許文献１】特開２００９−２６３９１１号公報
【特許文献２】特開２００５−２１３８３４号公報
【特許文献３】特開２０００−３２５５７５７号公報
【発明の概要】
【発明が解決しようとする課題】
【０００７】
従って本発明の目的は、上記した従来技術の欠陥を改良し、簡易な構成を有し、それによって、持ち運びが容易で、設定設置作業も効率的で迅速容易に実行でき、強固で然も汎用性に富むマンホール開口部の落下物防止装置を提供する事にある。
【課題を解決するための手段】
【０００８】
本発明は、上記のような目的を達成するため、基本的には、以下に示す様な技術構成を採用するものである。
即ち、本発明に係るマンホール開口部の落下物防止装置は、所定の長さと所定の内径を有する中空筒状体を含み、当該中空筒状体の一方の端部若しくはその近傍部には、当該中空筒状体を、その長手方向軸が略垂直に維持された状態で、上下に可動させるに適した構成を持つ握り把持部が設けられており、且つ当該中空筒状体の他方の端部には、当該端縁部の一部から、当該中空筒状体の本体部の方向に屈折状若しくは屈曲状に切り込まれた一対の係合溝部が、当該中空筒状体の直径方向に相互に対向する様に設けられており、然も、当該中空筒状体の当該係合溝部と当該握り把持部との間に、当該中空筒状体の中心から互いに等角度で、放射状に外方に延展せしめられた複数個の枝部材が設けられており、当該枝部材の外方端部にはマンホールのマンホール設置枠部材の上縁部に当接しうる当て金部が設けられていると同時に当該枝部材の当該中空筒状体近傍部と当該枝部材の外方端部との間にタンバックルが介在されている第１の部材と、中央本体部を含み、当該中央本体部は、所定の長さと所定の外形太さを有し、当該中央本体部には、その長手中心軸方向に形成された連通孔が設けられており、且つ当該中央本体部の一部には、当該連通孔の中心軸線と直交する方向で当該中央本体部の外表面から左右方向に外方に突出している一対の、当該中空筒状体の当該係合溝部と嵌合する固定ピン部が設けられており、且つ、当該中央本体部の別の部分には、当該中央本体部から、互いに等角度で放射状に外方に延展せしめられ、その外方先端部には、マンホールの内壁面と着脱自在に当接固定可能な当接部が設けられている、相互に同一の長さを持った複数個の支持梁部が設けられており、然も、当該中央本体部の当該連通孔には、回転調整部が旋回自在に挿入されており、当該支持梁部の当該外方先端部に於ける当該当接部と当該マンホールの内壁部との当接／離反が、当該回転調整部の旋回運動により制御される様に構成されている第２の部材と、当該中空筒状体の中空状内部に挿入される棒状体部から構成された操作部材からなる第３の部材であって、当該第３の部材は、当該棒状体部の一方の端部には操作把持部が設けられていると同時に、当該中空筒状体の当該握り把持部が設けられている部分の近傍に位置する端部から当該中空筒状体内部に挿入される側の端部には、当該回転調整部の一部と嵌合する嵌合部が設けられている第３の部材と、当該マンホール内の内壁の一部に固定配置された支持梁部の上面に配置される平板状で、当該マンホール内の断面積の少なくとも一部を被覆する面積を有する基材からなる第４の部材と、から構成されている事を特徴とするマンホール開口部の落下物防止装置である。
【発明の効果】
【０００９】
本発明は、上記した様な構成を採用することによって、簡易な構成を有し、それによって、持ち運びが容易で、設定設置作業も効率的で迅速容易に実行でき、強固で然も汎用性に富むマンホール開口部の落下物防止装置を提供するものである。
【図面の簡単な説明】
【００１０】
【図１】図１は、本発明に係るマンホール開口部の落下物防止装置の一具体例の構成の概要を示す図である。
【図２】図２は、本発明に於いて使用される第４の部材の一具体例の構成の概要を示す図である。
【図３】図３は、本発明に於いて使用される第１の部材の一具体例の構成の概要を示す図である。
【図４】図４は、本発明に於いて使用される第１の部材の一具体例の構成の概要を示す図である。
【図５】図５（Ａ）は、本発明の第１の部材で使用される握り把持部の一具体例の構成の概要を示す図であり、図５（Ｂ）は、本発明の第１の部材が、折り畳まれた状態を示す図である。
【図６】図６（Ａ）及び図６（Ｂ）は、本発明の第１の部材で使用される当て金の一具体例の構成の概要を示す図である。
【図７】図７は、本発明で使用される第２の部材の一具体例の構成の概要を示す図である。
【図８】図８は、本発明で使用される第２の部材の一具体例の構成の概要を示す図である。
【図９】図９（Ａ）は、本発明の第２の部材で使用される本体中央部の一具体例の構成の概要を示す側図であり、図９（Ｂ）は、本発明の第２の部材で使用される本体中央部の一具体例の構成の概要を示す底面図である。
【図１０】図１０は、本発明で使用される第３の部材の構成の一例を示す図である。
【図１１】図１１は、本発明で使用される第１の部材及び第２の部材がマンホール内に設置されている状況を示す斜視図である。
【図１２】図１２は、本発明で使用される第２の部材がマンホール内に設置されている状況を示す斜視図である。
【図１３】図１３は、本発明で使用される第４の部材がマンホール内に設置されている第２の部材上に配置されている状況を示す側面図である。
【発明を実施するための形態】
【００１１】
以下に、本発明にかかる当該マンホール開口部１２６の落下物防止装置の一具体例の構成の概要を、図面を参照しながら詳細に説明する。
即ち、図１及び図２は、本発明に係るマンホール開口部の落下物防止装置１００の一具体例の構成の概要を示す図であって、図中、所定の長さと所定の内径を有する中空筒状体１１を含み、当該中空筒状体１１の一方の端部１２若しくはその近傍部には、当該中空筒状体１１を、その長手方向軸１３が略垂直に維持された状態で、上下に可動させるに適した構成を持つ握り把持部１４が設けられており、且つ当該中空筒状体１１の他方の端部１５には、当該端縁部１５の一部から、当該中空筒状体１１の本体部１６の方向に屈折状若しくは屈曲状に切り込まれた一対の係合溝部１７が、当該中空筒状体１１の直径方向に相互に対向する様に設けられており、然も、当該中空筒状体１１の当該係合溝部１７と当該握り把持部１４との間Ｓに、当該中空筒状体１１の中心１３から互いに等角度で、放射状に外方に延展せしめられた複数個の枝部材１８が設けられており、当該枝部材１８の外方端部１９にはマンホール１２０のマンホール設置枠部材１２１の上縁部１２２に当接しうる当て金部１２３が設けられていると同時に当該枝部材１８の当該中空筒状体１１近傍部１２４と当該枝部材１８の外方端部１９との間にタンバックル１２５が介在されている第１の部材１と、
中央本体部２１を含み、当該中央本体部２１は、所定の長さと所定の外形太さを有し、当該中央本体部２１には、その長手中心軸２２方向に形成された連通孔２３が設けられており、且つ当該中央本体部２１の一部には、当該連通孔２３の中心軸線２２と直交する方向で当該中央本体部２１の外表面から左右方向に外方に突出している一対の、当該中空筒状体１１の当該係合溝部１７と嵌合する固定ピン部２４が設けられており、且つ、当該中央本体部２１の別の部分２６には、当該中央本体部２１から、互いに等角度で放射状に外方に延展せしめられ、その外方先端部２７には、マンホール１２０の内壁面２８と着脱自在に当接固定可能な当接部２９が設けられている、相互に同一の長さを持った複数個の支持梁部２０１が設けられており、然も、当該中央本体部２１の当該連通孔２３には、回転調整部２０２が旋回自在に挿入されており、当該支持梁部２０１の当該外方先端部２７に於ける当該当接部２９と当該マンホール１２０の内壁部２８との当接／離反が、当該回転調整部２０２の旋回運動により制御される様に構成されている第２の部材２と、
当該中空筒状体１１の中空状内部に挿入される棒状体部３１から構成された操作部材からなる第３の部材３であって、当該第３の部材３は、当該棒状体部３１の一方の端部３３には操作把持部３２が設けられていると同時に、当該中空筒状体１１の当該握り把持部１４が設けられている部分の近傍に位置する端部１２から当該中空筒状体１１内部に挿入される側の端部３４には、当該回転調整部２０２の一部と嵌合する嵌合部３５が設けられている第３の部材３と、
当該マンホール１２０内の内壁２８の一部に固定配置された支持梁部２０１の上面に配置される平板状で、当該マンホール１２０内の断面積の少なくとも一部を被覆する面積を有する基材４１からなる第４の部材４と、
から構成されているマンホール１２０の開口部１２６の落下物防止装置１００が示されている。
【００１２】
即ち、本発明に係る当該マンホール開口部の落下物防止装置１００は、上記した通り、マンホール１２０内部の円筒状空間内１３０の適宜の部位、つまり当該マンホール開口部１２６の上端部から任意の深さを持つ位置に固定して取り付けられ、作業員がその上に乗っても安定して固定されている第２の部材２と、当該第２の部材を着脱自在にその長手方向に接合し、当該第２の部材２を当該マンホール内の適宜の部位迄当該マンホール１２０のマンホール開口部１２６上端部から吊下げ状に降下させると共に、当該第２の部材２が所定の位置まで降下してその場所に固定設置しようとする場合に、当該マンホール１２０のマンホール設置枠部材２１の上端部１２２と係合し、当該第２の部材２の設置の為の中心位置を設定する為の芯出しを実行すると同時に、当該第２の部材２を当該マンホール内に接合固着させるための操作を実行する為の第１の部材１と、当該マンホール１２０の内部空間１３０内に当該第１の部材１により仮止めされている当該第２の部材２を実質的に当該マンホール１２０の内周壁部に当接固着させる為に、当該第１の部材１を貫通して当該第２の部材の調整部と係合し、当該第２の部材の当該マンホール内壁部に対する押圧力を調整する機能を有する第３の部材３と、当該第２の部材２が当該マンホール１２０内部の任意の内部空間部１３０内に固定された場合に、当該第２の部材上に配置され、当該マンホール１２０の当該開口部１２６から落下してくる土砂、石、ブロック、塵埃等を含む落下物を補足して、その下部にまで落下しない様に機能する平板、シート４１とそれらに対して併用される、柔軟性を有する被覆シート４３或いは、当該平板、シート４１と当該マンホール１２０内壁面との間の隙間を塞ぐ機能を有する柔軟性材料からなる帯状、ベルト状のテープ類４２等からなる第４の部材４とが組み合わされた装置である。
【００１３】
此処で、先ず、当該第１の部材の具体的な構成に付いて更に詳細に説明する。
即ち、当該第１の部材１の基本的な構成の概略は、上記し且つ図１に示されている通りであり、具体的には、所定の長さと所定の内径を有する中空筒状体１１を含み、当該中空筒状体１１の一方の端部１２若しくはその近傍部には、当該中空筒状体１１を、その長手方向軸１３が略垂直に維持された状態で、上下に可動させるに適した構成を持つ握り把持部１４が設けられており、且つ当該中空筒状体１１の他方の端部１５には、当該端縁部１５の一部から、当該中空筒状体１１の本体部１６の方向に屈折状若しくは屈曲状に切り込まれた一対の係合溝部１７が、当該中空筒状体１１の直径方向に相互に対向する様に設けられており、然も、当該中空筒状体１１の当該係合溝部１７と当該握り把持部１４との間Ｓに、当該中空筒状体１１の中心１３から互いに等角度で、放射状に外方に延展せしめられた複数個の枝部材１８が設けられており、当該枝部材１８の外方端部１９にはマンホール１２０のマンホール設置枠部材１２１の上縁部１２２に当接しうる当て金部１２３が設けられていると同時に当該枝部材１８の当該中空筒状体１１近傍部１２４と当該枝部材１８の外方端部１９との間にタンバックル１２５が介在されていると言う基本的な構成を有するものである。
【００１４】
本発明に於ける当該第１の部材に使用される当該中空筒状体１１の直径、内径、及びその長手方向の長さは、特に限定されるものではなく、任意に決定されるものであるが、対象となるマンホールの大きさ、深さ等を勘案して決定する事が可能である。
次に、当該第１の部材１に於いては、後述する様に、当該第１部材は、第２の部材２をその長尺方向に一時的に連結し、当該第２の部材を所定のマンホール１２０の内部円筒形空間部１３０内に当該マンホール開口部１２６から略垂直な状態に保ちながら徐徐に降下させて、予め定められた、当該マンホール１２０の内部空間の所定の位置まで吊下げた状態で一時的に保持するものである。
その為、当該第１の部材１は、作業者が当該第１と第２の部材１と２とが連結された状態のままで、当該マンホール１２０のマンホール開口部１２６の上方で、略垂直な状態に一旦保持して静止させ、その後、その位置から垂直に当該マンホール内部１３０内に吊下げ状態で降下させるものである。
従って、当該第１の部材１の当該中空筒状体１１の一方の端部１２、つまり、当該中空筒状体１１が垂直状に配置された際の上端部、若しくはその近傍部には、当該中空筒状体１１を、その長手方向軸１３が略垂直に維持された状態で、上下に可動させるに適した構成を持つ握り把持部１４が設けられている。
【００１５】
本発明に於ける当該握り把持部１４の構成は、特に限定されるものではないが、例えば、図５（Ａ）に示す様に、当該中空筒状体１１の上端部１２から当該中空筒状体１１の中心軸線１３の方向に沿って見た場合の断面形状が、当該中空筒状体１１の直径方向に対向した部位に２個のやや扁平化した一対の楕円形環状体９、９’が対象的に配備されているものであっても良い。
【００１６】
一方、本発明に於ける当該第１の部材１の他の端部１５には、図３及び図４に示す様に、当該端縁部１５の一部から、当該中空筒状体１１の本体部１６の方向に屈折状若しくは屈曲状に切り込まれた一対の係合溝部１７が、当該中空筒状体１１の直径方向に相互に対向する様に設けられている。
当該係合溝部１７は、後述する様に、当該第２の部材の当該中央本体部２１に設けられた突起部或いは棒状体部２４が着脱自在に一時的に嵌合して、当該第１の部材１と当該第２の部材２とを一時的に連結保持すると共に、当該連結を解消する時も容易に連結が解消出来る様に構成されている連結手段の一例を示すものである。
従って、当該係合溝部１７の形状も特に限定されるものではなく、任意の形状に設定する事が可能であるが、少なくとも、当該突起部或いは棒状体部２４が嵌入する為の開口溝部１７１と、当該突起部或いは棒状体部２４を当該係合溝部１７のストップ位置（静止位置）１７３に誘導する為の誘導溝１７２とから形成されている事が望ましい。
【００１７】
更に、本発明に於ける当該第１の部材１にあっては、当該中空筒状体１１の当該係合溝部１７と当該握り把持部１４との間Ｓに、当該中空筒状体１１の中心軸線１３から互いに等角度で、放射状に外方に延展せしめられた複数個の枝部材１８が設けられているものであり、当該枝部材１８の外方端部１９にはマンホール１２０のマンホール設置枠部材１２１の上縁部１２２に当接しうる当て金部１２３が設けられていると同時に当該枝部材１８の当該中空筒状体１１近傍部１２４と当該枝部材１８の外方端部１９との間に当該枝部材１８の長さ調整を可能とするタンバックル１２５が介在されていると言う基本的な構成を有するものである。
【００１８】
本発明に於ける当該枝部材１８の個数は特に限定されるものではないが、好ましくは、少なくとも３個であり、場合によっては、図４に示す様に４個であっても良い。
更に、本発明に於いては、当該それぞれの枝部材１８は、当該中空筒状体１１の外表面に嵌合して、その外表面を摺動出来且つ適宜の固定手段７によって当該中空筒状体１１の外表面の任意の位置に固定される適宜のカップリング部材６、即ち固定環６にその一方の端部１２４が取り付けられている。
本発明の具体例では、当該枝部材１８の当該一方の端部１２４は、当該カップリング部である当該固定環６の外表面から外方に突起して設けられている複数個の適宜の旋回軸受部８介して、旋回自在に取り付けられている。
一方、当該枝部材１８の外方端部１９にはマンホール１２０のマンホール設置枠部材１２１の上縁部１２２に当接しうる当て金部１２３が設けられていると同時に当該枝部材１８の当該中空筒状体１１近傍部１２４と当該枝部材１８の外方端部１９との間にタンバックル１２５等の当該枝部材１８の長さ調整部材が介在されているものである。
処で、上記した当該当て金部１２３は、その構造は特に限定されるものではないが、例えば、図６に示されている様に、当該当て金部１２３が当該枝部材１８の外方の先端部１９に於いて、適宜の旋回軸受部８’を介して旋回自在に接合されている事が望ましい。
【００１９】
更に、本発明に於いては、当該当て金部１２３は、当該マンホール設置枠部材２１の内側周縁上部１２２に当接せしめられるものであって、当該マンホール設置枠部材２１の縦方向に近似する方向に配置される縦向き部材１２３−２と当該マンホール設置枠部材２１の上端部１２２で略水平方向に近似する方向に配置される横向き部材１２３−１とが一体的に構成されており、且つ当該縦向き部材１２３−２と当該横向き部材１２３−１とは、相互に９０度以上の角度を有する様に配置されている事が望ましい。
本発明に於ける当該第１の部材１の他の好ましい具体例としては、図５（Ｂ）に示す様に、適宜の形状に折り畳まれ、外観形状が縮小され、搬送作業が容易になる様に構成されているものである。
上記した通り、本発明に於ける当該第１の部材１は、後述する当該第２の部材２を当該マンホール１２０の内部空間部１３０内の所定の部位に設定する為のセット用工具としての機能を有するものである。
具体的には、当該第２の部材２と当該第１の部材とを一時的に接続して、当該マンホール１２０の内部につり下ろし、上記した３乃至４本の枝部材２５の先端部に設けられている当該当て金１２３をマンホール設置枠部材２１の上端縁部１２２に係合させ、当該タンパックル１２５を適宜の方向に回転させて中心軸線を決定し、固定する機能を有するものである。
【００２０】
次に、本発明に於いて使用される第２の部材２の構成の一例に付いて詳細に説明する。
即ち、本発明に於いて使用される第２の部材２の基本的な構成の一具体例としては、上記した通り、図１及び図７乃至図９に示す様に、所定の長さと所定の外形太さを有する中央本体部２１を含み、当該中央本体部２１は、その長手中心軸２２方向に形成された連通孔２３が設けられており、且つ当該中央本体部２１の一部には、当該連通孔２３の中心軸線２２と直交する方向で当該中央本体部２１の外表面から左右方向に外方に突出している一対の、当該中空筒状体１１の当該係合溝部１７と嵌合する固定ピン部２４が、当該中央本体部２１の当該中心軸線２２に対して対称的に設けられている。
当該固定ピン部２４の長さ及び太さ或いは形状は特に限定されるものではないが、上記した第１の部材１に於ける当該中空筒状体１１の下端部１５に形成されている当該係合溝部１７に確実に嵌合でき、且つ当該誘導溝１７２内を容易に摺動で出来る様な構成を有している
事が望ましい。
【００２１】
一方、本発明に於ける当該第２の部材２に於いては、当該中央本体部２１の外表面の適宜の部位２６に、複数個の適宜の構成を有する旋回軸受部２５０が外方に突起した状態で設けられている。
そして、本発明の当該第２の部材２に於いては、当該部分２６の当該旋回軸受部２５０のそれぞれには、当該中央本体部２１から、互いに等角度で放射状に外方に延展せしめられ、その外方先端部２７には、マンホール１２０の内壁面２８と着脱自在に当接固定可能な当接部２９が設けられている、相互に同一の長さを持った複数個の支持梁部２０１が旋回自在に設けられている。
本発明に於ける当該支持梁部２０１の個数は特に限定されるものではないが、好ましくは、少なくとも３個であり、場合によっては、図８に示す様に４個であっても良い。
【００２２】
又、本発明に於ける当該支持梁部２０１の長さは特に限定されるものではなく、任意の長さに設定する事が可能である。
一方、当該当接部２９の構成も特に限定されるものではないが、例えば、ゴム材、軟質性或いは硬質性、若しくは弾発性を有する合成樹脂材等で構成されるものであって、その形状、大きさ、厚み等は特に限定されるものでなく、当該マンホール１２０の内壁面２８との摩擦特性の良好なものであれば、使用可能である。
更に、支持梁部２０１の外方先端部２７に設けられている当該当接部２９は、適宜の旋回軸受２５１を介して当該支持梁部２０１と旋回自在に接合されている事が望ましい。
【００２３】
又、本発明に於ける当該連通孔２３の内部側壁部には、適宜のネジ部２６０が形成されており、当該連通孔２３には、別途用意された回転調整部２０２が旋回自在に挿入されている。
当該回転調整部２０２は、後述する当該第３の部材３の一方の端部３４に設けられている当該嵌合部３５と嵌合しうる外径を有する頭部２００と当該頭部２００の外径よりも小さな外径を有し、当該頭部２００の一方の端部から一体的に延展せしめられている、その表面にネジ部２６１が形成されているロッド部２６２とから構成されている。
本発明に於ける当該ロッド部２６２は、当該中央本体部２１の当該連通孔２３の上端部から挿入され、当該ロッド部２６２の下端部の少なくとも先端部２７０が当該連通孔２３の下端部から下方に突出するに十分な長さを有している必要がある。
一方、当該それぞれの支持梁部２０１は、当該当接部２９が設けられている端部２７とは反対側の端部２７’に於いて、当該中央本体部２１と適宜の旋回軸受２５０を介して旋回自在に個別に接合せしめられており、且つ当該当接部２９も当該中央本体部と適宜の旋回軸受２５１を介して旋回自在に個別に接合せしめられている。
そして、本発明に於ける当該第２の部材２に於いては、当該支持梁部２０１の当該外方先端部２７に於ける当該当接部２９と当該マンホール１２０の内壁部２８との当接／離反が、当該回転調整部２０２の旋回運動により制御される様に構成されているものである。
【００２４】
係る本発明に於ける当該回転調整部２０２の旋回運動による、当該当接部２９と当該マンホール１２０の内壁部２８との当接／離反制御機構は、特に限定されるものではないが、その一具体例としては、例えば、図７に示す様に、当該それぞれの支持梁部２０１は、その一端部２７１が当該各支持梁部２０１の一部に旋回自在に軸支され、その他端部２７２が、当該回転調整部２０２に於ける当該ロッド部２６２の一部と適宜の開口部でその内面にネジ部が設けられている嵌合穴部２５６と螺合せしめられている調整板部２８０であって、当該ロッド部２６２の旋回によりその配置位置が変化しうる調整板部２８０の端縁部に適宜の旋回軸受２５５を介して旋回自在に個別に接合せしめられている補助支持梁部２６４を含んでいる制御リンク機構を使用することものぞましい。
【００２５】
係る具体例にあっては、当該回転調整部２０２に於ける当該ロッド部２６２を適宜の回転角度で旋回させることによって、当該ロッド部２６２と螺合している当該調整板部２８０の配置位置が上下に変化するので、その変化が当該支持梁部２０１と当該補助支持梁部２６４とで形成されるリンク機構に伝達され、その結果、当該支持梁部２０１の先端部に位置する複数個の当該当接部２９により形成される仮想円の外径が変化し、それによって、適宜の内径を有するマンホールの内壁面との接触・接合が可能となる。
即ち、本発明の当該第２の部材によって、複数種の内径を有するマンホールに取り付ける事が可能となるので、本発明の汎用性が高まる事になる。
つまり、本発明に係る当該第２の部材２は、当該部材２の中心部から３乃至４本の支持梁部２０１を、当該マンホール１２０の内壁面１３０に向けて張り出して、当該第２の部材２をその位置に固定させる機能を有するものである。
従って、当該第２の部材２は、作業者の安全を第１に考えて設計されており、例えば４００Ｋｇの加重に耐えられる様に設計されている。
【００２６】
次ぎに、本発明に於ける当該第３の部材３の具体例の構成の概要について説明する。
即ち、当該第３の部材３の基本的な構成の一例としては、図１及び図１０に示されている様に、当該中空筒状体１１の中空状内部に挿入される棒状体部３１から構成された操作部材からなる第３の部材３であって、当該第３の部材３は、当該棒状体部３１の一方の端部３３には操作把持部３２が設けられていると同時に、当該中空筒状体１１の当該握り把持部１４が設けられている部分の近傍に位置する端部１２から当該中空筒状体１１内部に挿入される側の端部３４には、当該回転調整部２０２の一部と嵌合する嵌合部３５が設けられているものである。
【００２７】
更に、当該第３の部材３に於ける当該棒状体部３１の一方の端部３３に設けられている当該操作把持部３２は、当該棒状体部３１の長手方向中心軸線に対して直交する方向に延展された部材で構成されたものであり、当該棒状体部３１の他方の端部３４に設けられている当該嵌合部３５は、その開放端部に、当該回転調整部２０２の当該頭部２００の外形形状と略近似する形状を持った凹陥部２９０が設けられている。
本発明に於ける当該第３の部材３は、図１及び図１１に示される様に、当該第１及び第２の部材１，２が一時的に直列に連結され、適宜のマンホール１２０の内部空間部１３０内に一時的に配置、設定された時点で、当該第１の部材１に於ける当該中空円筒体１１の上端開口部から、その下端部３４を下向けにして挿入し、その下端部３４に設けられた当該嵌合部３５の凹陥部２９０を当該第２の部材２に於ける当該回転調整部２０２の頭部２００と嵌合させ、当該部操作把持部３２を旋回操作して、当該回転調整部２０２の頭部２００を旋回させて、当該と嵌合させ、当該当接部２９が、強固に当該マンホール１２０の内壁面２８に当接する様に操作が行われる事になる。
【００２８】
次に、本発明に於いて使用される当該第４の部材４の具体的な構成について以下に説明する。
即ち、本発明に於いて使用される当該第４の部材４は、主として、例えば、当該マンホール１２０内の内壁２８の一部に固定配置された支持梁部２０１の上面に配置される平板状で、当該マンホール１２０内の断面積の少なくとも一部を被覆する面積を有する基材４１から構成されるものである。
当該基材４は、例えば、金属製又は、合成樹脂製或いは木製等の材料で形成された硬性材料からなる平板状で、且つ当該マンホール１２０の内側の円形断面積部分の少なくとも一部を被覆するに十分な面積を有する部材であって、当該マンホール１２０内に設置された当該支持梁部２０１の上表面に配置され、当該支持梁部２０１間に形成された空間部から、当該マンホール１２０の開口部１２６から落下してきた、各種の廃材、土砂、石、ブロック、塵挨類、破砕塊、作業用工具、器具、治具、部品等が、当該マンホールの底部迄落下して、作業員に損傷を与えたり、当該マンホール底部に上記した当該各種の廃材、土砂、石、ブロック、塵挨類、破砕塊、作業用工具、器具、治具、部品等が蓄積されて、その後の清掃作業に関するコストの増大を防止する為に、当該基材４１で、それらを受け止め保持する機能を有するものである。
【００２９】
当該基材４１は、図２に示す様に、平面形状は、略円形である事が望ましく、さらには、その略中央部に例えば、当該第２の部材の略中央部に設けられた当該回転調整部２０２の当該頭部２００が貫通出来る穴部４４が設けられている事も好ましい。
当該基材４１は、例えば、当該支持梁部２０１設置位置で、作業員が必要な作業を行う際に、当該作業員がその場所で安全に作業する事を可能にする程度の保持強度を有する材料で且つそれに必要な厚みを有している事も必要である。
更に、当該基材４１は、完全な平板でなくとも、例えば、図１或いは図７に示される様に、当該複数個の支持梁部２０１群で形成される、当該穴部４４を頂点とする山形状の平面を形成したものであっても良い。
【００３０】
又、当該第４の部材４には、当該基材４１の他に、作業員が必要な作業を行う際に安全性と安定性を確保するために、又、当該落下物の落下衝撃を吸収緩和する為に、図２に示す様に、高摩擦特定を有し、弾発性、クッション性或いは防水性を有する、当該基材４１の表面を被覆するゴム製、プラスチック製、発泡樹脂製或いは布帛製等の柔軟性を有するシート材料４３を併用することも望ましい具体例である。
又、当該シート材料４３の略中央部にも、当該回転調整部２０２の当該頭部２００が貫通出来る穴部４５が設けられている事も好ましい。
【００３１】
又、本発明に於いては、当該基材４１及び／又は当該シート材料４３の周縁部と当該マンホール１２０の内壁面２８との間に形成される隙間から、例えば、マンホール１２０の内壁２８の一部を切断する際に、同時に使用される冷却水等の液体、土砂、細かい塵挨等が更に当該マンホール１２０の底部に落下する事を防止する為に、図２に示す様に、ゴム製、プラスチック製或いは布帛製材料から構成された。当該マンホール１２０の内側壁面２８の内周全面に係止せしめられ、当該隙間を塞ぐ機能を有する、所定の幅を有する帯状体部４２を当該基材４１及び／又は当該シート材料４３と併せて使用する事が好ましい。
【００３２】
次に、本発明に係る当該マンホール開口部の落下物防止装置１００の使用方法について以下に詳細に説明する。
即ち、所望のマンホール１２０の内部空間１３０の所定の高さ位置に当該第２の部材２を固定設置しようとする場合に、先ず、図１に示す様に、当該第１の部材１の当該中空筒状体１１の下端部１５に形成された係合溝部１７に、当該第２の部材２に設けられている当該中央本体部２１に設けられている当該固定ピン部２４を嵌合させて、当該第１の部材１と当該第２の部材２とを、それぞれの中心軸が一致する様にその長尺方向に一時的に連結接続させる。
【００３３】
次に、当該連結された当該第１の部材１と当該第２の部材２とを所定のマンホール１２０の開口端部１２６の上方に適宜の吊下げ手段或いは作業員が当該第１の部材１の当該中空筒状体１１に設けられている当該握り把持部１４を把持しながら、当該中心軸が当該マンホール１２０の軸線方向と一致する様に略垂直状に保持する。
その後、一時的に連結接続された該第１の部材１と当該第２の部材２とを徐々に降下させ、先ず当該第１の部材１に設けられた当該複数個の枝部材２５の先端部に設けられている当該当て金１２３を、当該マンホール１２０の上部に配置されているマンホール設置枠部材２１の上端縁部１２２に係合させる。
次いで、当該枝部材２５のそれぞれに設けられている当該タンパックル１２５を適宜の方向に回転させて、当該枝部材２５のそれぞれの長さを調整しながら、当該マンホール１２０の中心軸線を見出して決定し、その位置で一時的に固定配置する。
図１１には、当該連結状態にある当該第１及び第２の部材１及び２が当該マンホール１２０内に固定配置された状態を示している。
この際、当該第３の部材３を、当該第３の部材３の下端部３４を垂直方向の下方に向けた状態で、当該第１の部材１の当該中空筒状体１１の中空状空間部内に挿入しておいても良い。
【００３４】
その後、当該第３の部材３を、当該第３の部材３の下端部３４を垂直方向の下方に向けた状態で、当該第１の部材１の当該中空筒状体１１の中空状空間部内に挿入して、或いは、既に当該中空筒状体１１の中空状空間部内に挿入されている当該第３の部材３の当該下端部に設けられた嵌合部３５の凹陥部２９０内に、当該第２の部材２に於ける当該回転調整部２０２の当該頭部２００を確実に嵌合させて後、当該第３の部材の操作把持部３２を作業員が旋回操作して、当該第２の部材２に於ける支持梁部２０１の最大外径の直径長さを調節して変化させ、当該各支持梁部２０１の先端部に設けられている当該当接部２９を当該マンホール１２０の内壁面２８に強く当接させ、当該第２の部材２をその位置に強固に固定する。
【００３５】
次いで、当該第１の部材１に於ける当該タンパックル１２５を逆回転させて、当該枝部材１２５の先端部に設けられている当該当て金１２３を、当該マンホール１２０の上部に配置されているマンホール設置枠部材２１の上端縁部１２２から離脱させ、その後、当該第１の部材１の当該中空筒状体１１の当該係合溝部１７から当該第２の部材２に於ける当該回転調整部に設けられている当該中央本体部２１に設けられている、当該固定ピン部２４を離脱させて、両者を分離し、当該第１の部材１を当該マンホール１２０の上部空間部から取り除き、当該第２の部材２のみを当該マンホール１２０の内部空間部１３０内に残存させる。
係る状態を図１２に示す。
【００３６】
本発明に係る当該マンホール開口部の落下物防止装置１００は、上記した構成を採用しているので、従来のマンホール開口部の落下物防止装置に比べて、取付設置作業が簡便で作業効率が高く、安全性にも優れている。
更に、本発明に於いては、予め任意の当該落下防止装置の配置位置を地上で決定し、適宜の補助装置を使用してマンホール内に吊下げ、反力装置を締め付けて固定することにより設置操作が完了出来るので作業が迅速に実行され、その為、作業効率が高く、安全である。
又、本発明に於ける当該マンホール開口部の落下物防止装置１００に於いては、上記した落下物を略完全に防止する事が可能であり、更には、反力装置の骨組みを頑丈に作る事が出来、更には、水や土砂等の落下防止も別途用意された各種のシート等により落下防止効果が向上している。
【符号の説明】
【００３７】
１．    第１の部材
２．    第２の部材
３．    第３の部材
４．    第４の部材
６．    カップリング部材、固定環
７．    固定手段
８、８‘．    旋回軸受部
９、９‘．    楕円形環状体
１１．    中空筒状体
１２．    一方の端部
１３．    長手方向軸
１４．    握り把持部
１５．    他方の端部
１６．    本体部
１７．    係合溝部
１８．    枝部材部
１９．    外方端部
２１．    中央本体部
２２．    長手中心軸
２３．    連通孔
２４．    固定ピン部、突起部、棒状体部
２６．    別の部分
２７．    外方先端部
２７’．    反対側の端部
２８．    マンホール内壁面
２９．    当接部
３１．    棒状体部
３２．    操作把時部
３３．    一方の端部
３４．    他方の端部
３５．    嵌合部
４１．    基材
４２．    テープ類
４３．    被覆シート
１００．    マンホール開口部の落下物防止装置
１２１．    マンホール設置枠部材
１２２．    上縁部
１２３．    当て金部
１２３−２．    縦向き部材
１２３−１．    横向き部材
１２４．    一方の端部
１２５．    タンバックル
１２６．    マンホール開口部
１３０．    マンホールの円筒状空間
１７１．    開口溝部
１７２．    誘導溝
１７３．    ストップ位置
２００．    頭部
２０１．    支持梁部
２０２．    回転調整部
２５０．    旋回軸受部
２５６．    嵌合穴部
２６１．    ネジ部
２６２．    ロッド部
２７０．    先端部
２７２．    その他端部
２８０．    調整板部
２５５．    旋回軸受
２６４．    補助支持梁部
２９０．    凹陥部
【図１】
2013221247.tif 000003
【図２】
2013221247.tif 000004
【図３】
2013221247.tif 000005
【図４】
2013221247.tif 000006
【図５】
2013221247.tif 000007
【図６】
2013221247.tif 000008
【図７】
2013221247.tif 000009
【図８】
2013221247.tif 000010
【図９】
2013221247.tif 000011
【図１０】
2013221247.tif 000012
【図１１】
2013221247.tif 000013
【図１２】
2013221247.tif 000014
【図１３】
2013221247.tif 000015